(57)【要約】【課題】使用者が必要なキャビネットのみを解錠とすることができ、閉め忘れ等の発生の防止や節電等を図ることができるキャビネット施解錠制御システムを提供する。【解決手段】制御装置において、固有ＩＤを登録ＩＤとして記憶手段に記憶させる際、当該登録ＩＤに対応する暗証番号及び解錠を許可とするキャビネットを設定させ、認証装置が固有ＩＤを読み取ると、当該読み取った固有ＩＤと登録ＩＤとの一致か否かに加えて、暗証番号による判断をも行い、両判断において一致していると判断した場合にのみ、電気錠式キャビネットの解錠を許可するようにした。また、解錠の許可に伴ってキャビネットが解錠を許可された状態にあることを報知する表示灯と、解錠を許可された状態にあるキャビネットのうち解錠したいキャビネットのみを解錠させるための解錠スイッチとを設けた。【選択図】図４
2009102847.tif 000002
【特許請求の範囲】
【請求項１】
複数の電気錠式キャビネットと、固有ＩＤを有して各使用者が携帯するＩＤカードと、前記ＩＤカードの固有ＩＤを読み取り可能な認証装置と、記憶手段及び入力手段を有し、前記認証装置が読み取った固有ＩＤをもとに前記電気錠式キャビネットの施解錠を制御する制御装置とからなるキャビネット施解錠制御システムであって、
前記制御装置は、前記固有ＩＤを登録ＩＤとして前記記憶手段に記憶しているとともに、前記登録ＩＤに関連づけて前記使用者が設定した暗証キーを前記記憶手段に記憶しており、
前記認証装置が前記固有ＩＤを読み取ると、当該読み取った固有ＩＤと前記記憶手段に記憶されている固有ＩＤとが一致するか否かを判断するとともに、固有ＩＤ読み取り後に入力された暗証キーと前記登録ＩＤに関連づけられて記憶されている暗証キーとが一致するか否かを判断し、両前記判断において一致していると判断した場合にのみ、前記キャビネットの解錠が許可される一方、
前記解錠の許可に伴ってキャビネットが解錠を許可された状態にあることを報知する許可報知手段と、解錠を許可された状態にあるキャビネットのうち解錠したいキャビネットのみを解錠させるためのキャビネット指定手段とを設けたことを特徴とするキャビネット施解錠制御システム。
【請求項２】
許可報知手段を各キャビネット毎に設けるとともに、キャビネット指定手段を、各キャビネットに設けられ、当該キャビネットの電気錠へ解錠動作を指令するための解錠スイッチとしたことを特徴とする請求項１に記載のキャビネット施解錠制御システム。
【発明の詳細な説明】
【技術分野】
【０００１】
本発明は、複数の電気錠式キャビネットにおける施錠／解錠を制御するためのキャビネット施解錠制御システムに関するものである。
【背景技術】
【０００２】
従来、たとえば特許文献１に開示されているように、各使用者が所持するリモコンと、パソコン等のコンピュータとを用いて、複数の電気錠式キャビネットにおける施錠／解錠を制御するようにしたキャビネット施解錠制御システムが考案されている。当該システムにあっては、各リモコン毎に施解錠を指令できるキャビネットが対応付けられており、一のリモコンで解錠を指令すると、当該リモコンに対応する全ての電気錠式キャビネットが同時に解錠となるように構成されている。
【０００３】
【特許文献１】特開２００３−１３８８１２号公報
【発明の開示】
【発明が解決しようとする課題】
【０００４】
しかしながら、通常、１度に使用したいキャビネットは１つ或いは２つ程度であり、リモコンを使用する毎に対応する全てのキャビネットを解錠とする必要性はない。そして、多くのキャビネットを解錠とすることで、閉め忘れ等の危険が高くなる、防犯性に劣る等といった問題が生じるし、また消費電力が無駄に大きくなるため、電源容量の大型化やコストアップ等といった問題もある。
【０００５】
そこで、本発明は、上記問題に鑑みなされたものであって、使用者が必要なキャビネットのみを解錠とすることができ、閉め忘れ等の発生の防止や節電等を図ることができるキャビネット施解錠制御システムを提供しようとするものである。
【課題を解決するための手段】
【０００６】
上記目的を達成するために、本発明のうち請求項１に記載の発明は、複数の電気錠式キャビネットと、固有ＩＤを有して各使用者が携帯するＩＤカードと、前記ＩＤカードの固有ＩＤを読み取り可能な認証装置と、記憶手段及び入力手段を有し、前記認証装置が読み取った固有ＩＤをもとに前記電気錠式キャビネットの施解錠を制御する制御装置とからなるキャビネット施解錠制御システムであって、前記制御装置は、前記固有ＩＤを登録ＩＤとして前記記憶手段に記憶しているとともに、前記登録ＩＤに関連づけて前記使用者が設定した暗証キーを前記記憶手段に記憶しており、前記認証装置が前記固有ＩＤを読み取ると、当該読み取った固有ＩＤと前記記憶手段に記憶されている固有ＩＤとが一致するか否かを判断するとともに、固有ＩＤ読み取り後に入力された暗証キーと前記登録ＩＤに関連づけられて記憶されている暗証キーとが一致するか否かを判断し、両前記判断において一致していると判断した場合にのみ、前記キャビネットの解錠が許可される一方、前記解錠の許可に伴ってキャビネットが解錠を許可された状態にあることを報知する許可報知手段と、解錠を許可された状態にあるキャビネットのうち解錠したいキャビネットのみを解錠させるためのキャビネット指定手段とを設けたことを特徴とする。
請求項２に記載の発明は、請求項１に記載の発明において、許可報知手段を各キャビネット毎に設けるとともに、キャビネット指定手段を、各キャビネットに設けられ、当該キャビネットの電気錠へ解錠動作を指令するための解錠スイッチとしたことを特徴とする。
【発明の効果】
【０００７】
本発明によれば、解錠が許可されたキャビネットの中から実際に解錠したいキャビネットを選択して解錠することができるため、ＩＤカードの認証毎に必要でないキャビネットまでも解錠されてしまうことがなく、消費電力を小さく抑えることができるし、閉め忘れ等の発生を抑制することができる。また、ＩＤカードを認証させた際、解錠可能となるキャビネットを報知するための許可報知手段が設けられているため、どのキャビネットが解錠可能となっているかを使用者に確実に報知することができ、使い勝手が良い。
さらに、キャビネットを解錠とするためには、ＩＤカードをただ認証させるだけでなく、ＩＤカードの認証後に暗証番号の入力を行う必要があるため、ＩＤカードの使用者以外の者によるＩＤカードを用いた解錠を防止することができる。したがって、紛失したＩＤカードや盗難されたＩＤカードの悪用を防止することができ、防犯性が極めて高い。
また、請求項２に記載の発明によれば、許可報知手段が各キャビネット毎に設けられているため、使用者は解錠が許可されたキャビネットがどれであるのかをより確実に把握することができるし、キャビネット指定手段が、各キャビネットに設けられ、当該キャビネットの電気錠へ解錠動作を指令するための解錠スイッチであるため、操作間違い等により所望しないキャビネットが解錠となったりすることもなく、使い勝手が極めて良い。
【発明を実施するための最良の形態】
【０００８】
以下、本発明の一実施形態となるキャビネット施解錠制御システム（以下、単に制御システムと称す）について、図面をもとに説明する。
【０００９】
図１は、制御システム１の概要を示した説明図であり、図２は、制御システム１のブロック構成図である。
制御システム１は、電気錠３ａ〜３ｄを有するキャビネット２ａ〜２ｄと、無線通信により電気錠３ａ〜３ｄの施解錠を制御する制御装置としてのコンピュータ５と、コンピュータ５での施解錠に係る操作の可否を判断するための認証装置４と、固有ＩＤを有し、当該固有ＩＤを認証装置４により読み取り可能なＩＤカード６とからなる。
【００１０】
各キャビネット２ａ〜２ｄは、前面に開口を有して内部に書類等を収納可能とした箱体であり、前面開口は前扉により開閉可能となっている。また、各キャビネット２ａ〜２ｄには、閉塞状態にある前扉を施錠／解錠するための電気錠３ａ〜３ｄが取り付けられている。各電気錠３ａ〜３ｄは、前扉を施解錠するためのロック機構を備えているとともに、タイマやロック機構制御手段を備えており、ロック機構が解錠動作した後、前扉が所定時間以上に亘って閉塞状態にある旨を検知すると、自動的にロック機構を施錠動作させるようになっている。
【００１１】
さらに、各キャビネット２ａ〜２ｄには、後述するコンピュータ５の制御のもと点灯する表示灯（許可報知手段）８ａ〜８ｄが設けられているとともに、押圧操作によりロック機構制御手段へロック機構の解錠動作を指令する解錠スイッチ（キャビネット指定手段）７ａ〜７ｄが設けられている。尚、解錠スイッチ７ａ〜７ｄは、表示灯８ａ〜８ｄが点灯している間のみ、その押圧操作が有効となるように設定されている。
加えて、電気錠３ａ〜３ｄは、コンピュータ５との間で無線通信するための無線通信手段を備えており、コンピュータ５からの解錠信号の受信、解錠動作後のコンピュータ５への完了信号の送信、及び施錠動作後のコンピュータ５への施錠信号の送信等が可能となっている。
【００１２】
認証装置４は、ＩＤカード６が有する固有ＩＤを読み取るための装置であって、ＲＦＩＤ通信可能な読み取り部を備えており、当該読み取り部へＩＤカード６を翳す等して近接させることにより、固有ＩＤを読み取り可能となっている。また、認証装置４は、後述するコンピュータ５と有線接続されており、ＩＤカード６の固有ＩＤを読み取ると、当該固有ＩＤをコンピュータ５へ出力するようになっている。
ＩＤカード６は、内部に固有ＩＤが記憶されたＩＤタグが収納されてなる合成樹脂製のカード体であって、使用者毎に夫々異なる固有ＩＤを有するものが所持される。
【００１３】
コンピュータ５は、各種動作を制御するためのＣＰＵ等といった制御手段１１と、登録される固有ＩＤ等を記憶するためのＲＯＭ等といった記憶手段１２、モニター等といった表示手段１３、キーボード等といった入力手段１４、電気錠３ａ〜３ｄの無線通信手段との間で無線通信を行うための送受信手段１５、認証装置４を接続するためのインターフェイス１６、及び時間を計時するためのタイマ１７等を備えてなる。
【００１４】
以下、上記制御システム１によるキャビネット２ａ〜２ｄの施解錠の制御について、図３及び４をもとに説明する。図３は、制御手段１１における施解錠に係る制御を示したフローチャート図であり、図４は、キャビネット２ａ〜２ｄ側での施解錠に係る制御を示したフローチャート図である。
上記制御システム１において施解錠を制御するにあたっては、使用するＩＤカード６の登録が必要となるため、まず、ＩＤカード６の登録について説明する。使用者は、使用可能としたいＩＤカード６を認証装置４に翳して、固有ＩＤを読み取らせる。次に、コンピュータ５を操作して、読み取らせた固有ＩＤを使用可能な登録ＩＤとして設定するとともに、当該登録ＩＤに対応する暗証キーとしての暗証番号（たとえば４桁の数字）、及び読み取らせた固有ＩＤを有するＩＤカード６により解錠が許可されるキャビネット（本実施形態においては、キャビネット２ａ、２ｂ、２ｄが許可されるものとする）の識別番号を設定し、記憶手段１２に登録ＩＤ、暗証番号、及び識別番号を関連づけて記憶させる。当該操作によりＩＤカード６の登録は完了となる。
【００１５】
次に、上記登録済みのＩＤカード６を用いたキャビネット２ａ〜２ｄの施解錠について説明する。
認証装置４は、常時、読み取り部から呼出波を発信しており、ＩＤカード６が翳される等として読み取り部に近接される（Ｓ１）と、直ちにＩＤカード６の固有ＩＤを読み取り、当該固有ＩＤをコンピュータ５へ出力する。コンピュータ５では、認証装置４から固有ＩＤが入力されると、当該固有ＩＤが記憶手段１２に記憶されている登録ＩＤのうちの何れかと一致するか否かを判断する（Ｓ２）。ここで、固有ＩＤが登録ＩＤの何れとも一致しない（Ｓ２においてＮＯと判断）場合、使用可能なＩＤカード６ではないとして施解錠の制御を続行しない（すなわち、Ｓ３以降へ進まない）。
【００１６】
一方、入力された固有ＩＤが登録ＩＤの何れかと一致する（Ｓ２においてＹＥＳと判断）場合、表示手段１３において入力手段１４による暗証番号の入力を促し、暗証番号が入力されると、当該暗証番号が登録ＩＤに対応するとして設定された暗証番号と一致するか否かを判断する（Ｓ３）。ここで、入力された暗証番号が登録ＩＤに対応する暗証番号と一致しない（Ｓ３においてＮＯと判断）場合、ＩＤカード６を所持するべき使用者でないとして施解錠の制御を続行しない（すなわち、Ｓ４以降へ進まない）。尚、Ｓ３においては、暗証番号の入力ミス等が考えられるため、所定回数に限りＳ３を繰り返し実行するようにしてもよい。
【００１７】
一方、入力された暗証番号が、登録ＩＤに対応する暗証番号と一致する（Ｓ３においてＹＥＳと判断）場合、登録ＩＤに対応するキャビネット２ａ、２ｂ、２ｄ（すなわち、ＩＤカード６により解錠が許可されているキャビネット）へのみ解錠信号を送信し（Ｓ４）、解錠を許可する。尚、キャビネット２ｃへは解錠信号を送信しない。
【００１８】
ここで、各キャビネット２ａ〜２ｄでは、電気錠３ａ〜３ｄの無線通信手段が解錠信号の受信を常時監視して（Ｓ１１）いる。そして、キャビネット２ａ、２ｂ、２ｄは、上述の如くしてコンピュータ５から送信された解錠信号を受信すると、表示灯８ａ、８ｂ、８ｄを点灯させる（Ｓ１２）とともに、解錠スイッチ７ａ、７ｂ、７ｄの押圧操作が有効となるように設定する。そして、表示灯８ａ、８ｂ、８ｄの点灯後、所定時間（たとえば、１分間）以内に解錠スイッチ７ａ、７ｂが操作される（Ｓ１３においてＹＥＳと判断）と、表示灯８ａ、８ｂを消灯し、電気錠３ａ、３ｂのロック機構を解錠動作させて前扉を開放可能とするとともに、コンピュータ５へ完了信号を送信する（Ｓ１６）。一方、表示灯８ｄの点灯後、所定時間をこえて解錠スイッチ８ｄが操作されなかった（Ｓ１４においてＹＥＳと判断）場合、表示灯８ｄを消灯して（Ｓ１５）、コンピュータ５へ施錠信号を送信するとともに、解錠信号の待ち受け状態（すなわち、Ｓ１１）へと戻る。尚、コンピュータ５では、完了信号の受信をもって当該キャビネットが解錠状態にあると判断し、その旨を表示手段１３に表示する。
【００１９】
また、キャビネット２ａ、２ｂでは、上記解錠動作後、施錠条件（すなわち、所定時間以上に亘る前扉の閉塞状態の検知）が満足された（Ｓ１７においてＹＥＳと判断）ことをもって作業終了と判断し、ロック機構を施錠動作させて前扉を施錠するとともに、コンピュータ５へ施錠信号を送信する（Ｓ１８）。
【００２０】
さらに、コンピュータ５では、解錠信号を送信すると、キャビネット２ａ、２ｂ、２ｄからの施錠信号の受信を待ち受ける（Ｓ５及びＳ６）ことになる。ここで、各キャビネット２ａ〜２ｄの開放許容時間として予め所定時間（たとえば、２０分間）が設定されており、Ｓ６では、待ち受け時間が開放許容時間を超過したか否かが判断されることになる（すなわち、閉め忘れ防止）。そして、所定の開放許容時間内に施錠信号を受信した場合には、表示手段１３にその旨を表示する等、施錠として処理する（Ｓ８）一方、開放許容時間を超えて施錠信号を受信しない場合には、表示手段１３に「キャビネット２ａ、閉め忘れ！」と表示する等といった異常報知（Ｓ７）を行い、キャビネットの施錠を促す。
以上のようにして、キャビネット２ａ〜２ｄの施解錠の制御は行われる。
【００２１】
上述したような制御システム１によれば、キャビネットを選択して解錠することができるため、ＩＤカード６の認証毎に必要でないキャビネットまでもが解錠してしまうことがなく、消費電力を小さく抑えることができるし、閉め忘れ等の発生を抑制することができる。
また、ＩＤカード６を認証させた際、解錠可能となるキャビネットの表示灯が点灯するため、どのキャビネットが解錠可能となっているかを使用者に確実に報知することができ、使い勝手が良い。
【００２２】
さらに、キャビネット２ａ〜２ｄを解錠とするためには、ＩＤカード６をただ認証させるだけでなく、ＩＤカード６の認証後に暗証番号の入力を行う必要があるため、ＩＤカード６の使用者以外の者によるＩＤカード６を用いた解錠を防止することができる。したがって、紛失したＩＤカード６や盗難されたＩＤカード６の悪用を防止することができ、防犯性が極めて高い。
加えて、キャビネットの解錠後、所定時間にわたって施錠が確認されない場合、当該状態を表示手段１３等により報知するため、閉め忘れのまま長期間に亘って放置されるといった事態を防止することができ、防犯性を更に向上することができる。
【００２３】
なお、本発明の制御システムに係る構成は、上記実施形態に記載の態様に何ら限定されるものではなく、キャビネット、電気錠、制御装置、認証装置、及びＩＤカードに係る構成を、本発明の趣旨を逸脱しない範囲で適宜変更することができる。
【００２４】
たとえば、上記実施形態においては、認証装置にＩＤカードを翳すことで固有ＩＤを読み取り可能としているが、認証装置にＩＤカードの差し込み部を設ける等して当該差し込み部内に読み取り部を設けるような構成としてもよい。
また、認証装置と制御装置とを一体的に設けることも当然可能であるし、制御装置としては、入力手段としてテンキー程度を備えており、表示手段を有さない制御装置を用いることも可能である。さらにまた、上記実施形態ではキャビネットに解錠したいキャビネットを指定するキャビネット指定手段を設けているが、制御装置において解錠したいキャビネットを指定するように構成することも可能であるし、その際、制御装置の表示手段にて解錠許可か否かを表示する（すなわち、制御装置の表示手段を許可報知手段とする）ようにしてもよい。加えて、全てのキャビネットの解錠が許可されたＩＤカードがあっても良いことは言うまでもない。
【００２５】
さらに、制御装置と電気錠とを有線接続することは当然可能であるし、制御装置と認証装置とを無線接続することも可能である。またさらに、入力手段についても、キーボードやテンキー、タッチパネル等各種のものを利用可能であることは言うまでもない。
さらにまた、本実施形態により施解錠が制御されるキャビネットは、上記前扉を有するキャビネットに限定されることはなく、引き出しタイプのキャビネットであってもよい。加えて、異常を報知するための別途ランプやスピーカ等を設けることは当然可能である。
【図面の簡単な説明】
【００２６】
【図１】制御システムの概要を示した説明図である。
【図２】制御システムのブロック構成図である。
【図３】制御手段における施解錠に係る制御を示したフローチャート図である。
【図４】キャビネット側における施解錠に係る制御を示したフローチャート図である。
【符号の説明】
【００２７】
１・・制御システム、２ａ〜２ｄ・・キャビネット、３ａ〜３ｄ・・電気錠、４・・認証装置、５・・コンピュータ、６・・ＩＤカード、７ａ〜７ｄ・・解錠スイッチ、８ａ〜８ｄ・・表示灯、１１・・制御手段、１２・・記憶手段、１３・・表示手段、１４・・入力手段、１５・・送受信手段、１６・・インターフェイス。
【図１】
2009102847.tif 000003
【図２】
2009102847.tif 000004
【図３】
2009102847.tif 000005
【図４】
2009102847.tif 000006